(57)【特許請求の範囲】
【請求項１】
多点測定用の温度センサーであって、
保護管内に往復するリード線を備え、温度特性が互いに異なる複数個の圧電共振子が、前記リード線に直列又は並列に接続されており、かつ、前記圧電共振子及び前記リード線を固定するために、支持棒が設けられていることを特徴とする温度センサー。
【請求項２】
前記圧電共振子が、容器内に収納されていることを特徴とする請求項１に記載の温度センサー。
【請求項３】
前記容器の内部が、気密に封止されていることを特徴とする請求項２に記載の温度センサー。
【請求項４】
前記容器が、セラミック製であることを特徴とする請求項２又は３に記載の温度センサー。
【請求項５】
前記圧電共振子が、白金線からなる端子を備えていることを特徴とする請求項１乃至４の何れかに記載の温度センサー。
【請求項６】
前記リード線を絶縁するために、２穴絶縁管が用いられていることを特徴とする請求項１乃至５の何れかに記載の温度センサー。
【請求項７】
前記圧電共振子が、ランタン、ガリウム、タンタル、アルミニウム及び酸素からなる単結晶で形成されていることを特徴とする請求項１乃至６の何れかに記載の温度センサー。
【請求項８】
前記保護管が、セラミックからなることを特徴とする請求項１乃至７の何れかに記載の温度センサー。
【請求項９】
前記リード線が、端部にループアンテナを備えていることを特徴とする請求項１乃至８の何れかに記載の温度センサー。
【発明の詳細な説明】
【技術分野】
【０００１】
本発明は、温度センサーに関し、特に、多点測定用の温度センサーの小型化に関する。
【背景技術】
【０００２】
多点測定用の温度センサーは、流動する流体の温度変化又は固体の温度分布を測定する場合等に必要であり、１本の保護管内に複数の熱電対を配置した温度センサーが用いられている。特許文献１には、図５に示すような温度センサー９１が記載されている。温度センサー９１は、１本の保護管９２の中に複数の熱電対（シース形熱電対）９３を収納したものである。図６に示すように、各熱電対９３は、その先端をなす測温部９３ａの位置が、保護管９２の軸線方向に順にずらして配置されており、これによって複数の点の温度を測定することができる。
【０００３】
しかしながら、温度センサー９１は、測定点が多くなるにつれて、熱電対９３の数が多くなる。このため、保護管９２の直径が太くなって、温度測定に時間の遅れが大きくなり、誤差を生じることとなる。また、熱電対９３の数が増えるにつれて、温度センサー９１を組立てる作業も非常に煩雑となる。特に、保護管９２が途中で折り曲げられるＬ字型等としたい場合には、特に組立作業が困難となる。
【０００４】
各熱電対９３は、接続端部（アダプタ）９７内において、接続装置９８を用いて補償導線９９に接続されることになる。このため、熱電対９３の増加とともに接続端部９７の大きさも大きくなり、また、各補償導線９９を識別するための銘板の取り付け等、作業量も増加することになる。さらに、保護管９２の素材にセラミックを使用する場合には、接続端部９７が大型化すると、温度センサー９１の取り扱いが非常に困難となる。
【０００５】
また、測定温度が高い場合には、白金−白金ロジウムの熱電対を使用することになるので、温度センサー９１が高価になるという欠点がある。さらに、この場合、接点部分でロジウムが拡散するために徐々に起電力が変化し、校正が頻繁に必要となるという問題もある。なお、後述するセラミック製の容器を気密に封止する方法に関しては、特許文献２等に記載されている技術を使用することができる。
【先行技術文献】
【特許文献】
【０００６】
【特許文献１】特開２００２−１０７２３３号公報
【特許文献２】特開２００８−１９２８６３号公報
【発明の概要】
【発明が解決しようとする課題】
【０００７】
そこで、本発明の目的は、多点測定用の温度センサーであって、その保護管を小さくすることにより、取り扱いが容易で、温度の測定精度が高い温度センサーを提供することにある。また、大きな接続端部を必要としない温度センサーを提供することにある。さらに、安価にすることが可能で、温度測定に経時的変化を生じない温度センサーを提供することにある。
【課題を解決するための手段】
【０００８】
上記の課題を解決するために、本発明の請求項１に係る温度センサーは、多点測定用の温度センサーであって、保護管内に往復するリード線を備え、温度特性が互いに異なる複数個の圧電共振子が、前記リード線に直列又は並列に接続されている手段を採用している。
【０００９】
また、本発明の請求項２に係る温度センサーは、請求項１に記載の温度センサーにおいて、前記圧電共振子が、容器内に収納されている手段を採用している。また、本発明の請求項３に係る温度センサーは、請求項２に記載の温度センサーにおいて、前記容器の内部が気密に封止されている手段を採用している。また、本発明の請求項４に係る温度センサーは、請求項２又は３に記載の温度センサーにおいて、前記容器が、セラミック製である手段を採用している。また、本発明の請求項５に係る温度センサーは、請求項１乃至４の何れかに記載の温度センサーにおいて、前記圧電共振子が、白金線からなる端子を備えている手段を採用している。
【００１０】
また、本発明の請求項６に係る温度センサーは、請求項１乃至５の何れかに記載の温度センサーにおいて、前記リード線を絶縁するために、２穴絶縁管が用いられている手段を採用している。また、本発明の請求項７に係る温度センサーは、請求項１乃至６の何れかに記載の温度センサーにおいて、前記圧電共振子及び前記リード線を固定するために、支持棒が設けられている手段を採用している。
【００１１】
また、本発明の請求項８に係る温度センサーは、請求項１乃至７の何れかに記載の温度センサーにおいて、前記圧電共振子が、ランタン、ガリウム、タンタル、アルミニウム及び酸素からなる単結晶で形成されている手段を採用している。また、本発明の請求項９に係る温度センサーは、請求項１乃至８の何れかに記載の温度センサーにおいて、前記保護管が、セラミックからなる手段を採用している。さらに、本発明の請求項１０に係る温度センサーは、請求項１乃至９の何れかに記載の温度センサーにおいて、前記リード線が、端部にループアンテナを備えている手段を採用している。
【発明の効果】
【００１２】
上記のような構成としたことにより、本発明の温度センサーは、多点測定用の温度センサーであって、保護管を小さくすることが可能であり、取り扱いを容易にすることが可能であり、温度の測定精度を高くすることが可能である。また、大きな接続端部を必要とせず、安価とすることが可能であり、温度測定に経時的変化を生じることがない。
【図面の簡単な説明】
【００１３】
【図１】本発明の温度センサーの概略を示し、（ａ）及び（ｂ）は概略外形図、（ｃ）は概略断面図である。
【図２】本発明で用いる圧電共振子及び容器を示し、（ａ）は圧電共振子を収納した容器本体の平面図及び断面図、（ｂ）は蓋の平面図及び断面図、（ｃ）は組立て後の斜視図である。
【図３】容器の配列と配線を示す斜視図であり、（ａ）は圧電共振子を直列に接続した場合、（ｂ）（ｃ）（ｄ）は圧電共振子を並列に接続した場合であって、夫々絶縁方法等を変えて示している。
【図４】温度センサーと共振周波数計測部との接続方法を示し、（ａ）は通常の導線を用いる方法、（ｂ）はループアンテナを用いる方法、（ｃ）は温度センサーの接続端部内にループアンテナを組み込んだ方法を示す。
【図５】従来の熱電対を用いた温度センサーを示す。
【図６】図５に示す温度センサーの一部拡大図を示す。
【発明を実施するための形態】
【００１４】
図１には本発明による温度センサーの概略が示されている。（ａ）は保護管２０が直線状をなす温度センサー１０であり、（ｂ）は保護管２０が９０度折れ曲がってＬ字状をなす温度センサー１１である。（ｃ）は温度センサー１０の一部を拡大した断面図を示している。
【００１５】
保護管２０の一端には２つの端子５１を備える接続端部７０が設けられ、２つの端子５１から保護管２０の内部を往復するようにリード線５０が設けられている。リード線５０は、電気伝導性に優れる銅線又は銀線が好ましいが、高温で使用する場合には、耐熱、耐酸化性に優れる白金線とすることが好ましい。リード線５０には、容器３０に収納された圧電共振子４０が複数接続されている。圧電共振子４０の接続は、図１（ｃ）では直列としているが、並列とすることも可能である。
【００１６】
保護管２０は、ステンレス管を用いることも多いが、焼成炉や拡散炉等のように高温であるとともに清浄な処理環境を必要とする場合には、セラミックとすることが好ましい。ただし、本明細書において「セラミック」という用語は、「石英」を含む意味で用いることとする。比較的入手し易い材料としては、例えば、外径が８ｍｍで内径が６ｍｍの炭化珪素管や、外径が１３ｍｍで内径が８ｍｍの石英管を使用することができる。
【００１７】
図２に示すように、圧電共振子４０は、セラミック製の容器３０に収納することが好ましい。図２（ａ）に記載しているように、圧電共振子４０の表面及び裏面には、夫々電極端子４１が取り付けられている。電極端子４１を取付けるために、圧電共振子４０の両面は、白金のメタライズ等により導電性が高められていることが好ましい。
【００１８】
電極端子４１の素材は、電気伝導性に優れる銅又は銀が好ましいが、高温で使用する場合には、耐熱、耐酸化性に優れる白金とすることが好ましい。そして、白金等でメタライズされた圧電共振子４０の両面に、白金線等を直接接続することができる。
【００１９】
圧電共振子４０は、いわゆる圧電素子と呼ばれるものであって、温度とともに共振特性が変化することを利用して、温度を測定することができる。すなわち、両電極端子４１に交流信号を供給するとともに周波数を変化させて圧電素子４０の共振周波数を測定することにより温度を知ることができる。圧電共振子４０としては、従来から水晶共振子が使用されているが、より高性能のものも開発されている。
【００２０】
特に、ランタン、ガリウム、タンタル、アルミニウム及び酸素から成る結晶でＬＴＧＡと呼ばれるものは、好ましい条件を揃えている。例えば、比較的安価に製造可能であるとともに、高温における周波数特性が一定であり、１２００℃まで安定して使用することができる。また、ヒステリシスも認められない。ここで、圧電共振子４０の大きさは、厚さ１００〜１５０μｍの板状であり、５ｍｍ程度の円板状又は角板状で使用する。
【００２１】
容器３０は、圧電共振子４０を収納する本体３１と蓋３２により形成されており、図２（ｃ）に示すような箱状をなしている。容器３０の素材としては、アルミナ等のセラミック製とすることにより、高温でも安定して使用することができる。或いは、温度測定対象物がシリコンである場合には、同一条件とするためにシリコンとすることが好ましい。容器３０の大きさとしては、例えば、縦横が７ｍｍで厚さが１．５ｍｍ程度とすることができる。本体３１と蓋３２との接合部、或いは電極端子４１の取出し部は封止して、容器３０の内部を気密に保持することが好ましい。これにより、圧電共振子４０の安定性が一層確実となり、経時的変化を生じることがなくなる。
【００２２】
図３には、容器の配列と配線及び絶縁方法を示している。保護管２０内の配線は、往復するリード線５０が２本のみとなる。このため、従来の温度センサー９１の保護管９２と比較して、保護管２０内は飛躍的に簡略化され、保護管２０を小型化することが可能であり、或いは、温度測定点を大幅に増加することが可能である。
【００２３】
リード線５０の絶縁用被覆材としては、比較的低温で使用する場合には、ポリイミド等を用いることができる。高温で使用する場合には、セラミック絶縁管や、セラミック繊維を編組して筒状に形成したスリーブ６１を用いることが好ましい。
【００２４】
図３（ａ）は複数の圧電共振子４０を直列に接続した場合を、図３（ｂ）は並列に接続した場合を示し、何れも片方のリード線５０をスリーブ６１で被覆しているが、往復する両方のリード線５０を被覆することもできる。セラミック繊維製の紐で縛ることにより、スリーブ６１をリード線５０に固定することができる。
【００２５】
図３（ｃ）は、図３（ｂ）の例において、リード線５０と並べて支持棒６５を配列した例を示している。白金であってもリード線５０は高温で軟化するが、セラミック繊維製の紐を用いてリード線５０を支持棒６５に固定することにより、圧電共振子４０を収納した容器３０の位置を固定することができる。また、温度センサー１０の組立てにおいても、保護管２０内に複数の圧電共振子４０を容易に挿入することができる。ただし、Ｌ字状の温度センサー１１においては、支持棒６５は一方の側のみに使用することとなる。
【００２６】
図３（ｄ）は、リード線５０の絶縁用材料として、セラミック製の２穴絶縁管６２を用いた例である。２穴絶縁管６２は、直線状の温度センサー１０における使用に適し、最も確実に絶縁することができる。２穴絶縁管６２は、例えば、断面が長径３ｍｍ短径１．５ｍｍの楕円状で、直径０．８ｍｍの穴を２つ備えるアルミナ絶縁管を用いることができる。また、類似の絶縁物として、外径１．２ｍｍで直径０．８ｍｍの穴を備える１穴の石英ビーズを用いることもできる。
【００２７】
図４は、温度センサー１０等を用いて、複数の点の温度を測定する方法を示している。図４（ａ）に示すように、温度の測定には、ネットワークアナライザを内蔵した温度測定装置８０を用いる。温度測定装置８０は、温度センサー１０内の複数の圧電共振子４０を備える回路に、周波数の変化する高周波の交流信号を供給することによって、圧電共振子４０の共振周波数を測定することができる装置である。
【００２８】
各圧電共振子４０の温度と共振周波数との関係は、相互に異なっている必要がある。しかしながら通常の用途においては、温度測定のスタートにおいて、全点を同一温度とすることが可能であり、連続的に測定を継続することが可能であるため、それほど大きく異なる必要はない。例えば、同一周波数で共振する温度が２０〜３０℃異なっていれば、使用可能となることが多い。この結果、測定点数が多くなっても、掃引する周波数帯域はそれほど広げる必要がない。
【００２９】
圧電共振子４０を直列に接続した場合と並列に接続した場合では、総合的なインピーダンスが変わってくるが、温度測定の方法は全く同じである。すなわち、温度測定の範囲から、これに必要な周波数帯域を定め、この周波数帯域で周波数が変化する交流信号を、繰り返し供給することにより、各点の温度を連続して測定することができる。連続して測定することにより、各点を特定して、正確に区別することができる。
【００３０】
温度センサー１０と温度測定装置８０とは、必ずしも導線で接続された回路である必要はない。図４（ｂ）に示すように、温度センサー１０と温度測定装置８０とを２つのループアンテナ８１で接続することが可能である。２つのループアンテナ８１を介して、高周波の交流信号を供給と受信をすることができるからである。或いは、図４（ｃ）に示すように、ループアンテナ８１アンテナを内蔵した接続端部７１を備える温度センサー１２とすることによって、（ｂ）と同様に使用することができる。
【産業上の利用可能性】
【００３１】
本発明の温度センサーは、多点測定用の温度センサーであって、保護管を小さくすることが可能であり、取り扱いを容易にすることが可能であり、温度の測定精度を高くすることが可能である。また、大きな接続端部を必要とせず、安価とすることが可能であり、温度測定に経時的変化を生じることがない。該本発明の温度センサーは、半導体の分野等で、今後、大いに使用されることが期待される。
【符号の説明】
【００３２】
１０、９１    温度センサー
２０、９２    保護管
３０    容器
３１    本体
３２    蓋
４０    圧電共振子
４１    電極端子
５０    リード線
５１    端子
６１    スリーブ
６２    ２穴絶縁管
６５    支持棒
７０、７１、９７    接続端部
８０    温度測定装置
８１    ループアンテナ
９３    熱電対
９３ａ  測温部
９８    接続装置
９９    補償導線
【図１】
0005639877.tif 000002
【図２】
0005639877.tif 000003
【図３】
0005639877.tif 000004
【図４】
0005639877.tif 000005
【図５】
0005639877.tif 000006
【図６】
0005639877.tif 000007